(57)【要約】【課題】新生児、乳児であっても負担が小さい胸骨変形防止用プロテクタを提供する。【解決手段】装着部３は胸部側装着部５と背中側装着部７から成り、胸部側装着部５と背中側装着部７とは分離可能である。装着部３は、合成樹脂製のスポンジから成る芯材１７を布製のカバー材１９によって覆ったものである。カバー材１９は、ナイロン製のパイル生地から成る表面２１と、コットン製の生地から成る裏面２３とから成る。表面２１が面ファスナーの被連結部としての雌部材を構成する。面ファスナーの連結部としての雄部材２５は、一対の胸側帯状部１１と一対の背中側帯状部１５の裏面の先端部にそれぞれ備えられている。発泡ウレタンから成るパッド２７は可撓性を有している。パッド２７の一方側の面には面ファスナーの雄部材が備えられ、胸側主部９の裏面２３には面ファスナーの雌部材２９が備えられている。パッド２７は胸側主部９に対して着脱自在である。【選択図】        図１
2012061027.tif 000002
【特許請求の範囲】
【請求項１】
体に装着して少なくとも胸部を覆う装着部と、前記装着部に備えられ胸部切開部位を押圧する可撓性を有するパッドとを有する胸骨変形防止用プロテクタにおいて、前記装着部全体を軽量、且つ柔軟な材料によって構成したことを特徴とする胸骨変形防止用プロテクタ。
【請求項２】
請求項１に記載した胸骨変形防止用プロテクタにおいて、装着部全体を構成する軽量、且つ柔軟な材料は、合成樹脂製のスポンジから成る芯材を布製のカバー材によって覆ったものであることを特徴とする胸骨変形防止用プロテクタ。
【請求項３】
請求項１または２に記載した胸骨変形防止用プロテクタにおいて、装着部は胸側装着部と背中側装着部とに二分割でき、前記胸側装着部と前記背中側装着部とが連結手段によって互いに連結されてループ状となることを特徴とする胸骨変形防止用プロテクタ。
【請求項４】
請求項３に記載した胸骨変形防止用プロテクタにおいて、胸側装着部は胸部を覆う胸側主部と前記胸側主部に一体に設けられ左右両側に延びる胸側帯状部とから成り、背中側装着部は背中を覆う背中側主部と前記背中側主部に一体に設けられ左右両側に延びる背中側帯状部とから成っており、連結手段によって前記胸側帯状部の裏面が背中側主部の表面に連結され、前記背中側帯状部の裏面が胸側主部の表面に連結されることを特徴とする胸骨変形防止用プロテクタ。
【請求項５】
請求項４に記載した胸骨変形防止用プロテクタにおいて、連結手段は面ファスナーであり、前記面ファスナーの連結部と被連結部の一方側が胸側帯状部と背中側帯状部の裏面の先端部に設けられ、面ファスナーの連結部と被連結部の他方側が胸側主部と背中側主部の表面の全体に設けられていることを特徴とする胸骨変形防止用プロテクタ。
【請求項６】
請求項１から５のいずれかに記載した胸骨変形防止用プロテクタにおいて、パッドは装着部に対し着脱自在であることを特徴とする胸骨変形防止用プロテクタ。
【請求項７】
請求項１から６のいずれかに記載した胸骨変形防止用プロテクタにおいて、パッドは穴を有する外枠部材と、前記外枠部材の穴に保持され前記外枠部材よりも柔軟な材料から成る柔軟部材とによって構成されていることを特徴とする胸骨変形防止用プロテクタ。
【請求項８】
請求項７に記載した胸骨変形防止用プロテクタにおいて、柔軟部材はハイドロゲルであることを特徴とする胸骨変形防止用プロテクタ。
【請求項９】
請求項１から８のいずれかに記載した胸骨変形防止用プロテクタにおいて、装着部が胸部を覆う状態に前記装着部を保持するストラップを有することを特徴とする胸骨変形防止用プロテクタ。
【発明の詳細な説明】
【技術分野】
【０００１】
本発明は胸部を例えば上下方向に切開する手術を受けた後に胸骨が徐々に隆起するのを防止する胸骨変形防止用プロテクタに係り、特に新生児、乳児に適した胸骨変形防止用プロテクタに関するものである。
【背景技術】
【０００２】
この種の胸骨変形防止用プロテクタとしては、特許文献１に記載されたものがある。この胸骨変形防止用プロテクタは金属板やプラスチック板、天然皮革等によって構成されている。
【先行技術文献】
【特許文献】
【０００３】
【特許文献１】特開２００２−３４５８６８号公報
【発明の概要】
【発明が解決しようとする課題】
【０００４】
しかしながら、上記従来の胸骨変形防止用プロテクタは、金属板、天然皮革等によって構成されているので、どうしてもある程度の重量を有することとなり、また金属板自体は相当な硬度を有するものであり、新生児、乳児に適用するには負担が大きいという問題があった。
本発明は上記従来の問題点に着目して為されたものであり、新生児、乳児であっても負担が小さい胸骨変形防止用プロテクタの提供を、その目的とする。
【課題を解決するための手段】
【０００５】
本発明は上記課題を解決するためになされたものであり、請求項１の発明は、体に装着して少なくとも胸部を覆う装着部と、前記装着部に備えられ胸部切開部位を押圧する可撓性を有するパッドとを有する胸骨変形防止用プロテクタにおいて、前記装着部全体を軽量、且つ柔軟な材料によって構成したことを特徴とする胸骨変形防止用プロテクタである。
【０００６】
請求項２の発明は、請求項１に記載した胸骨変形防止用プロテクタにおいて、装着部全体を構成する軽量、且つ柔軟な材料は、合成樹脂製のスポンジから成る芯材を布製のカバー材によって覆ったものであることを特徴とする胸骨変形防止用プロテクタである。
【０００７】
請求項３の発明は、請求項１または２に記載した胸骨変形防止用プロテクタにおいて、装着部は胸側装着部と背中側装着部とに二分割でき、前記胸側装着部と前記背中側装着部とが連結手段によって互いに連結されてループ状となることを特徴とする胸骨変形防止用プロテクタである。
【０００８】
請求項４の発明は、請求項３に記載した胸骨変形防止用プロテクタにおいて、胸側装着部は胸部を覆う胸側主部と前記胸側主部に一体に設けられ左右両側に延びる胸側帯状部とから成り、背中側装着部は背中を覆う背中側主部と前記背中側主部に一体に設けられ左右両側に延びる背中側帯状部とから成っており、連結手段によって前記胸側帯状部の裏面が背中側主部の表面に連結され、前記背中側帯状部の裏面が胸側主部の表面に連結されることを特徴とする胸骨変形防止用プロテクタである。
【０００９】
請求項５の発明は、請求項４に記載した胸骨変形防止用プロテクタにおいて、連結手段は面ファスナーであり、前記面ファスナーの連結部と被連結部の一方側が胸側帯状部と背中側帯状部の裏面の先端部に設けられ、面ファスナーの連結部と被連結部の他方側が胸側主部と背中側主部の表面の全体に設けられていることを特徴とする胸骨変形防止用プロテクタである。
【００１０】
請求項６の発明は、請求項１から５のいずれかに記載した胸骨変形防止用プロテクタにおいて、パッドは装着部に対し着脱自在であることを特徴とする胸骨変形防止用プロテクタである。
【００１１】
請求項７の発明は、請求項１から６のいずれかに記載した胸骨変形防止用プロテクタにおいて、パッドは穴を有する外枠部材と、前記外枠部材の穴に保持され前記外枠部材よりも柔軟な材料から成る柔軟部材とによって構成されていることを特徴とする胸骨変形防止用プロテクタである。
【００１２】
請求項８の発明は、請求項７に記載した胸骨変形防止用プロテクタにおいて、柔軟部材はハイドロゲルであることを特徴とする胸骨変形防止用プロテクタである。
【００１３】
請求項９の発明は、請求項１から８のいずれかに記載した胸骨変形防止用プロテクタにおいて、装着部が胸部を覆う状態に前記装着部を保持するストラップを有することを特徴とする胸骨変形防止用プロテクタである。
【発明の効果】
【００１４】
本発明の胸骨変形防止用プロテクタによれば、装着部を軽量、且つ柔軟な材料によって構成しているので、新生児、乳児であっても負担を小さくすることができる。
【図面の簡単な説明】
【００１５】
【図１】本発明の実施の形態１に係る胸骨変形防止用プロテクタの斜視図である。
【図２】図１のＡ−Ａ断面図である。
【図３】図１の胸骨変形防止用プロテクタの装着した状態を示す正面図である。
【図４】図１の胸骨変形防止用プロテクタの装着した状態を示す背面図である。
【図５】本発明の実施の形態２に係る胸骨変形防止用プロテクタのパッドの斜視図である。
【発明を実施するための形態】
【００１６】
本発明の実施の形態１に係る胸骨変形防止用プロテクタ１を図面にしたがって説明する。
符号３は装着部を示し、この装着部３は胸部側装着部５と背中側装着部７とによって構成されており、胸部側装着部５と背中側装着部７とは分離可能となっている。即ち、装着部３は二分割できるようになっている。
【００１７】
胸部側装着部５は胸側主部９と、この胸側主部９に一体に設けられた一対の胸側帯状部１１とから成っている。一対の胸側帯状部１１は胸側主部９よりも細幅に形成されており、一対の胸側帯状部１１は胸側主部９の左右両側に僅かに斜め上方へ向かって延びている。胸側主部９と胸側帯状部１１の境界部分の上側の縁は連続する緩やかな凹状を形成するようにカーブしている。
【００１８】
背中側装着部７は背中側主部１３と、この背中側主部１３に一体に設けられた一対の背中側帯状部１５とから成っている。一対の背中側帯状部１５は背中側主部１３よりも細幅に形成されており、一対の背中側帯状部１５は背中側主部１３の左右両側に斜め上方へ向かって延びてから湾曲し、先端部が僅かに斜め下方へ向かって延びている。背中側主部１３と背中側帯状部１５の境界部分の上側の縁は連続する緩やかな凹状を形成するようにカーブしている。
【００１９】
図２に示すように装着部３（胸部側装着部５と背中側装着部７）は、合成樹脂製のスポンジから成る芯材１７を布製のカバー材１９によって覆ったものである。カバー材１９は、ナイロン製のパイル生地から成る表面２１と、コットン製の生地から成る裏面２３とによって構成されている。
このように装着部３全体は、スポンジ、布等の軽量、且つ柔軟な材料によって構成されている。
【００２０】
上記したようにカバー材１９の表面２１はパイル生地から成っており、この表面２１が面ファスナーの被連結部としての雌部材を構成する。
符号２５は面ファスナーの連結部としての雄部材を示し、この雄部材２５は、一対の胸側帯状部１１と一対の背中側帯状部１５の裏面の先端部にそれぞれ備えられている。
連結手段はカバー材１９の表面２１と雄部材２５とから成る面ファスナーによって構成されている。
【００２１】
符号２７は発泡ウレタンから成るパッドを示し、このパッド２７は可撓性を有している。パッド２７の一方側の面（図１において見える側とは反対側の面）には図示しない面ファスナーの雄部材が備えられており、また、胸側主部９の裏面２３には面ファスナーの雌部材２９が備えられている。これによりパッド２７は胸側主部９に対して着脱自在となっている。
【００２２】
符号３１は一対のストラップを示し、これらのストラップ３１も、装着部３と同様にスポンジ、布等の軽量、且つ柔軟な材料によって構成されている。一対のストラップ３１の先端部には、面ファスナーの雄部材３３がそれぞれ備えられている。
上記のように、胸骨変形防止用プロテクタ１は金属製部材を使用しておらず、レントゲン、ＭＲＩ等の検査を装着したままで行うことができる。
【００２３】
次に、胸骨変形防止用プロテクタ１の使用方法を説明する。
胸部側装着部５の胸側主部９にパッド２７を取り付けておく。
背中側装着部７の背中側主部１３を背中に当て、そして、胸部側装着部５の胸側主部９を胸部に当てて、パッド２７を胸部切開部位に位置させる。次に、一対の背中側帯状部１５を軽く引っ張り、これらの先端部を胸側主部９の表面２１に貼り付ける（図３参照）。次いで、一対の胸側帯状部１１を軽く引っ張り、これらの先端部を背中側主部１３の表面２１に貼り付ける（図４参照）。これにより胸部側装着部５と背中側装着部７が互いに連結される。
【００２４】
このように胸側帯状部１１の裏面を背中側主部１３の表面２１に連結し、また背中側帯状部１５の裏面を胸側主部９の表面２１に連結することで、装着部３はループ状となって体にフィットした状態に装着される。
次に、一対のストラップ３１を両肩に掛けて、これらの先端部を装着部３に貼り付ける。これにより装着部３が胸部を覆う状態に保持される。従って、装着部３がずれてしまうのを防止することができる。
【００２５】
前述したように装着部３は二分割できるようになっており、しかも連結手段はカバー材１９の表面２１と雄部材２５とから成る面ファスナーによって構成されているので、装着部３の着脱を容易に行うことができる。
更に、パッド２７は胸側主部９に対して着脱自在となっているので、パッド２７の交換を容易に行うことができる。
【００２６】
胸側帯状部１１は背中側主部１３に連結され、背中側帯状部１５は胸側主部９に連結されるので、胸回り全体を締付けることなく、ある程度の力で胸部切開部位を押圧することができる。
また、背中側主部１３と背中側帯状部１５の境界部分の上側の縁は連続する緩やかな凹状を形成するようにカーブしているので、装着部３が脇に当たらない状態に装着されることとなり、従って、装着者が違和感を覚えることがない。
【００２７】
前述したように装着部３は、スポンジ、布等の軽量、且つ柔軟な材料によって構成されている。これにより胸骨変形防止用プロテクタ１は、従来の金属板、天然皮革等によって構成されたものと比べて軽量でしかも柔軟性を有するものとなっている。従って、新生児、乳児であっても負担を小さくすることができる。
上記のように装着部３を体に装着していれば、パッド２７が胸部切開部位を押圧し続けるので、胸骨が隆起してしまうのを確実に防止することができる。
【００２８】
次に、実施の形態２に係る胸骨変形防止用プロテクタを図５にしたがって説明する。
実施の形態２に係る胸骨変形防止用プロテクタは、パッド４１を除いた他の構成部分が実施の形態１に係る胸骨変形防止用プロテクタ１のパッド２７を除いた他の構成部分と同じであるので、パッド４１についてのみ説明し、胸骨変形防止用プロテクタ１と同じの構成部分については説明を省略することとする。
【００２９】
符号４３は発泡ウレタンから成る外枠部材を示し、この外枠部材４３は可撓性を有している。外枠部材４３は穴４５を有しており、この穴４５には柔軟部材としてのハイドロゲル４７が嵌め込まれて保持されている。ハイドロゲル４７は水分を多く含むもので、このハイドロゲル４７は外枠部材４３よりも柔軟性を有している。
パッド４１の一方側の面（図５において見える側とは反対側の面）には図示しない面ファスナーの雄部材が備えられている。従って、パッド４１は、実施の形態１のパッド２７と同様に胸側主部９に対して着脱自在となっている。
【００３０】
上記パッド４１を構成するハイドロゲル４７は、前述したように水分を多く含んでおり、しかも十分な柔軟性を有している。従って、肌にやさしく、しかも柔らかいタッチで胸部切開部位を押圧することができる。
よって、パッド４１は、肌の弱い新生児、乳児に適用することが可能である。
【００３１】
以上、本発明の実施の形態について詳述してきたが、具体的構成は、この実施の形態に限られるものではなく、本発明の要旨を逸脱しない範囲における設計の変更などがあっても発明に含まれる。
上記実施の形態では、装着部３の芯材１７を合成樹脂製のスポンジによって構成し、カバー材１９を布によって構成したが、芯材１７、カバー材１９の材料は上記スポンジ、布に限定されない。
また、装着部３の表面２１をナイロン製のパイル生地によって構成したが、例えば表面２１をコットン製のパイル生地によって構成してもよい。
【００３２】
更に、面ファスナーの被連結部をパイル生地から成る表面２１によって構成したが、例えば、表面２１に面ファスナーの雌部材を別途備える構成としてもよい。
面ファスナーの連結部を雄部材とし、被連結部を雌部材としたが、連結部を雌部材とし、被連結部を雄部材としてもよい。
柔軟部材をハイドロゲル４７によって構成したが、柔軟部材を外枠部材４３よりも柔軟なスポンジ等で構成してもよい。
【産業上の利用可能性】
【００３３】
本発明は胸骨変形防止用プロテクタの製造業に利用可能である。
【符号の説明】
【００３４】
１…胸骨変形防止用プロテクタ      ３…装着部      ５…胸部側装着部
７…背中側装着部      ９…胸側主部      １１…胸側帯状部
１３…背中側主部      １５…背中側帯状部      １７…芯材
１９…カバー材      ２１…表面      ２３…裏面
２５…雄部材      ２７…パッド      ２９…雌部材
３１…ストラップ      ３３…雄部材      ４１…パッド
４３…外枠部材      ４５…穴      ４７…ハイドロゲル
【図１】
2012061027.tif 000003
【図２】
2012061027.tif 000004
【図３】
2012061027.tif 000005
【図４】
2012061027.tif 000006
【図５】
2012061027.tif 000007